(57)【要約】【課題】ブレ量を検出する為の新たなセンサを設けることなく、ブレ量検出及び該ブレ量に基づいたブレ補正を行うことができるブレ補正機能を有する携帯電子装置を提供すること。【解決手段】携帯電子装置に、第１撮影光学系２Ａを含む第１カメラ２と、第２撮影光学系４Ａを含む第２カメラ４と、上記第１カメラ２及び上記第２カメラ４のうち何れか一方を画像撮影用カメラ、他方をブレ検出用カメラとして接続の切り換えを行う補正動作切り換え回路２８と、上記ブレ検出用カメラの出力に基づいて、上記画像撮影用カメラの一部又は全部を変移させてブレ補正を行うＣＰＵ１０とを具備させ、且つ上記第１撮影光学系２Ａにおける撮影光軸と、上記第２撮影光学系４Ａにおける撮影光軸とが略平行となるように、上記第１撮影光学系２Ａと上記第２撮影光学系４Ａとを配置する。【選択図】      図１
2007049478.tif 000002
【特許請求の範囲】
【請求項１】
第１の撮影光学系を含む第１の撮像手段と、
第２の撮影光学系を含む第２の撮像手段と、
上記第１の撮像手段及び上記第２の撮像手段のうち、何れか一方を通常の画像撮影に用いる撮影用撮像手段として選択し、他方をブレ検出に用いるブレ検出用撮像手段として選択する選択手段と、
上記ブレ検出用撮像手段の出力に基づいて、上記撮影用撮像手段の一部又は全部を変移させてブレ補正を行う制御手段と、
を具備し、
上記第１の撮影光学系における撮影光軸と、上記第２の撮影光学系における撮影光軸とが略平行であることを特徴とする携帯電子装置。
【請求項２】
上記携帯電子装置は、
上記ブレ検出用撮像手段が生成した時系列的に隣接する画像データにおける像位置の変化である動きベクトルを相関マッチングにより検出するブレ検出手段を含むことを特徴とする請求項１に記載の携帯電子装置。
【請求項３】
上記第１の撮影光学系への入射光束の入射方向と上記第２の撮影光学系への入射光束の入射方向とが逆向きとなるように、上記第１の撮像手段及び上記第２の撮像手段が配置されていることを特徴とする請求項１に記載の携帯電子装置。
【請求項４】
上記第１の撮像手段は第１のイメージセンサを含み、
上記第２の撮像手段は第２のイメージセンサを含み、
上記携帯電子装置は、上記第１の撮影光学系における撮影光軸に垂直な平面上にて上記第１の撮影光学系及び上記第１のイメージセンサのうち少なくとも何れか一方を変移させる第１の機構、及び上記第２の撮影光学系における撮影光軸に垂直な平面上にて、上記第２の撮影光学系及び上記第２のイメージセンサのうち少なくとも何れか一方を変移させる第２の機構、を含むことを特徴とする請求項１に記載の携帯電子装置。
【発明の詳細な説明】
【技術分野】
【０００１】
本発明は、携帯電子装置に関し、特に、複数の撮像手段を具備する携帯電子装置に関する。
【背景技術】
【０００２】
近年、デジタルカメラ機能を有する携帯電話機、すなわちカメラ付き携帯電話機は一般化しており、画素数及び機能の面では、通常のデジタルカメラに肩を並べる程度の性能のデジタルカメラ機能を有するカメラ付き携帯電話機が普及し始めている。
【０００３】
このような事情に伴って、カメラ付き携帯電話機にて撮影される画像データに対するユーザーの求めるクオリティは益々高くなり、今や通常のデジタルカメラにて求められている画像データのクオリティに近い水準のクオリティが求められている。
【０００４】
したがって、手ブレによる失敗写真に対する改善要求も急激に高まってきている。
【０００５】
なお、通常のデジタルカメラにおいては、手ブレ補正機能の実現の為に、手ブレ量を検出するジャイロセンサをデジタルカメラに設ける。すなわち、ジャイロセンサにより検出した手ブレ量に基づいて、当該デジタルカメラの具備する撮影光学系の一部または全てを、手ブレをキャンセルさせる方向へ変移させることで、露光中における手ブレの影響を補正する。
【０００６】
このようにして手ブレの影響を補正するブレ補正機能を有するカメラとして、例えば特許文献１に、以下のような技術が開示されている。
【０００７】
特許文献１に開示されたブレ補正機能付きカメラでは、カメラの撮像面における被写体像の像ブレ量を、ジャイロセンサにて検出する。そして、ジャイロセンサの検出した像ブレ量に基づいてマイクロコンピュータがレンズの変位量を演算し、この変位量に基づいて撮影レンズを駆動させてブレ補正を行う。
【特許文献１】特開平９−１０５９７１号公報
【発明の開示】
【発明が解決しようとする課題】
【０００８】
しかしながら、上記特許文献１に開示されたブレ補正機能付きカメラのブレ補正技術を、携帯電子装置の具備するカメラ（例えばカメラ付き携帯電話機等）に適用することは、以下の問題点ゆえに現実的ではない。
【０００９】
すなわち、例えばカメラ付き携帯電話機等の携帯電子装置では、通常のデジタルカメラに比べ小型であり、またその内部構成においてもカメラ機能以外の機能に関する構成部材を要する。したがって、上記特許文献１に開示されたブレ補正機能付きカメラのようにジャイロセンサを設ける為のスペースの問題、及び携帯電子装置自体の小型化を妨げるという問題が生じる。また、コストアップの問題も生じる。
【００１０】
本発明は、上記の事情に鑑みてなされたもので、ブレ量を検出する為の新たなセンサを設けることなく、ブレ量検出及び該ブレ量に基づいたブレ補正を行うことができるブレ補正機能付き携帯電子装置を提供することを目的とする。
【課題を解決するための手段】
【００１１】
上記の目的を達成するために、本発明の一態様による携帯電子装置は、第１の撮影光学系を含む第１の撮像手段と、第２の撮影光学系を含む第２の撮像手段と、上記第１の撮像手段及び上記第２の撮像手段のうち、何れか一方を通常の画像撮影に用いる撮影用撮像手段として選択し、他方をブレ検出に用いるブレ検出用撮像手段として選択する選択手段と、上記ブレ検出用撮像手段の出力に基づいて、上記撮影用撮像手段の一部又は全部を変移させてブレ補正を行う制御手段と、を具備し、上記第１の撮影光学系における撮影光軸と、上記第２の撮影光学系における撮影光軸とが略平行であることを特徴とする。
【発明の効果】
【００１２】
本発明によれば、ブレ量を検出する為の新たなセンサを設けることなく、ブレ量検出及び該ブレ量に基づいたブレ補正を行うことができるブレ補正機能を有する携帯電子装置を提供することができる。
【発明を実施するための最良の形態】
【００１３】
以下、図面を参照して本発明の一実施形態に係る携帯電子装置を説明する。
【００１４】
図１は、本実施形態に係る携帯電子装置のシステム構成を示す図である。なお、本実施形態においては、携帯電子装置としてカメラ付き携帯電話機を想定して説明する。しかしながら、本実施形態がカメラ付き携帯電話機以外の携帯電子装置にも適用することができることは勿論である。
【００１５】
ここで、同図に示す参照符号１００を付されて破線に囲まれた部分は、カメラ付き携帯電話機の構成部材のうち電話等における通信を担う構成部材からなる電話等通信部１００である。なお、この電話等通信部１００は、カメラ付き携帯電話機以外の携帯電子装置においては不要な場合もある。
【００１６】
具体的には、上記電話等通信部１００は、マイク１００Ａ、スピーカ１００Ｂ、無線送受信回路１００Ｃ、及びアンテナ１００Ｄから構成される。なお、これらの構成部材による通信技術は公知のものであり、また通信機能自体は本発明の趣旨とは関係がない為、ここでは上記電話等通信部１００の構成部材に関する説明は省略する。
【００１７】
同図に示すように、本実施形態に係るカメラ付き携帯電話機には、撮像手段として第１カメラ２及び第２カメラ４が設けられている。なお、このように２つのカメラを有するカメラ付き携帯電話機は現在既に製品化されており、一般に流通している。まず、上記第１カメラ２から説明する。
【００１８】
上記第１カメラ２は、第１撮影光学系２Ａ、第１イメージセンサ２Ｂ、及び第１ブレ補正機構２Ｃを有する。なお、上記第１撮影光学系２Ａは実際には複数の光学レンズから構成されているが、同図においては１つの光学レンズで代表して図示している。
【００１９】
ここで、上記第１撮影光学系２Ａに入射した被写体からの光束は、上記第１撮影光学系２Ａを射出した後、上記第１イメージセンサ２Ｂに入射して結像する。そして、この第１イメージセンサ２Ｂにて、被写体からの光束は電気信号（画像信号）に変換される。
【００２０】
そして、この電気信号（画像信号）は、第１イメージセンサインターフェイス回路６に読み出されてデジタル化される。このデジタル化されて得られた画像データは、システムコントローラであるＣＰＵ１０によりホワイトバランス補正や階調補正、色補正等の周知の画像処理が施され、後述する記憶手段１４に記録される。ここで、上記第１ブレ補正機構２Ｃは、上記第１撮影光学系２Ａにおける撮影光軸に垂直な平面上にて、上記第１イメージセンサ２Ｂを変移させる為の部材である。
【００２１】
ここで、上記第１イメージセンサインターフェイス回路６は、第１データ切り換え回路８を介して、上記ＣＰＵ１０の制御を受け得るように接続されている。なお、このＣＰＵ１０は、後述するブレ補正の動作制御を行う制御手段であり、不図示の電源に接続された電源回路１２から電力の供給を受ける。
【００２２】
なお、上記ＣＰＵ１０には画像データ等を記憶させる為の記憶手段１４（本実施形態においてはカードメディア、例えばＭｉｎｉＳＤカード等を想定している）、ユーザーが各種操作を行う為の操作部材１６、及び画像データや動作メニュー等を表示する表示用ＬＣＤ１８が接続されている。また、上記電話等通信部１００も上記ＣＰＵ１０に接続されている。
【００２３】
一方、上記第２カメラ４は、第２撮影光学系４Ａ、第２イメージセンサ４Ｂ、及び第２ブレ補正機構４Ｃを有する。
【００２４】
ここで、上記第２撮影光学系４Ａは実際には複数の光学レンズから構成されているが、同図においては１つの光学レンズで代表して図示している。そして、上記第２撮影光学系４Ａに入射した被写体からの光束は、上記第２撮影光学系４Ａを射出した後、上記第２イメージセンサ４Ｂに入射して結像する。そして、この第２イメージセンサ４Ｂにて、被写体からの光束は電気信号（画像信号）に変換される。この電気信号（画像信号）は、第２イメージセンサインターフェイス回路２０に読み出されてデジタル化される。
【００２５】
そして、このデジタル化されて得られた画像データは、上記ＣＰＵ１０によりホワイトバランス補正や階調補正、色補正等の周知の画像処理が施され、上記記憶手段１４に記録される。なお、上記第２ブレ補正機構４Ｃは、上記第２撮影光学系４Ａにおける撮影光軸に垂直な平面上にて、上記第２イメージセンサ４Ｂを変移させる部材である。なお、上記第２イメージセンサインターフェイス回路２０は、第２データ切り換え回路２２を介して、上記ＣＰＵ１０に接続されている。
【００２６】
ここで、上記第１データ切り換え回路８及び上記第２データ切り換え回路２２は、対応する第１イメージセンサインターフェイス回路６または第２イメージセンサインターフェイスの出力を、ＣＰＵ１０またはブレ検出回路（動きベクトル検出回路）２４に選択的に供給するためのものであり、その選択はＣＰＵ１０の制御により行われる。すなわち、何れか一方が、後述するブレ検出回路２４に接続され、他方は、ＣＰＵ１０へ接続される。つまり、上記第１カメラ２及び上記第２カメラ４のうち何れか一方のカメラを撮影用のカメラとして、他方のカメラをブレ補正用のカメラとして利用し得るよう接続される構成となっている。なお、図１は、上記第２データ切り換え回路２２が上記ブレ検出回路２４に接続されている状態を示している。
【００２７】
上記ブレ検出回路２４は、時系列的に隣接する画像データにおける画像位置の変化（動きベクトル）を、相関マッチングを用いて検出するという公知のブレ量検出を行う部材である。言い換えれば、上記ブレ検出回路２４では、上記動きベクトルを、当該画像データと当該画像データの１つ前のフレームにおける画像データとを比較することで割り出す方式によるブレ量検出が行われる。
【００２８】
そして、上記第１カメラ２及び上記第２カメラ４のうちブレ補正の為に用いるカメラ（図１においては上記第２カメラ４）の有するイメージセンサ（図１においては上記第２イメージセンサ４Ｂ）の出力が上記ブレ検出回路２４に入力され、このブレ検出回路２４にてブレ量検出が行われる。また、上記ブレ検出回路２４はブレ補正制御回路２６に接続されており、上記ブレ検出回路２４にて検出されたブレ量は、上記ブレ補正制御回路２６に入力される。
【００２９】
このブレ補正制御回路２６では、上記ブレ検出回路２４にて検出されたブレ量に基づいて、上記第１カメラ２及び上記第２カメラ４のうち、撮影用のカメラの有するイメージセンサ（図１においては上記第１イメージセンサ２Ｂ）を、手ブレをキャンセルさせる方向へ移動させる為の変位駆動量等が演算される。
【００３０】
そして、上記ＣＰＵ１０による制御で、上記ブレ補正制御回路２６は、補正動作切り換え回路２８により、上記第１ブレ補正機構２Ｃまたは上記第２ブレ補正機構４Ｃのうち、撮影用のカメラ（図１においては第１カメラ２）の有するブレ補正機構（図１においては第１ブレ補正機構２Ｃ）へ接続されるよう、切り換えられる。そして、上記第１ブレ補正機構２Ｃまたは上記第２ブレ補正機構４Ｃは、上記ブレ補正制御回路２６により制御され、以下のようなブレ補正の動作を行う。
【００３１】
すなわち、図１に示すように上記第１カメラ２が撮影用のカメラである場合、上記第１ブレ補正機構２Ｃは、ブレ補正制御回路２６の出力に従って、上記第１イメージセンサ２Ｂを、上記第１撮影光学系２Ａの撮影光軸に垂直な平面上を移動させることでブレ補正を行う。同様に、上記第２カメラ４を撮影用のカメラとして利用する場合には、上記第２ブレ補正機構４Ｃが、ブレ補正制御回路２６の出力に従って、上記第２イメージセンサ４Ｂを、上記第２撮影光学系４Ａの撮影光軸に垂直な平面上を移動させることでブレ補正を行う。
【００３２】
具体的には、上記第１ブレ補正機構２Ｃ及び上記第２ブレ補正機構４Ｃは、不図示である（Ｘ，Ｙ）２軸のブレ補正機構を有し、上記ブレ補正制御回路２６の制御により、例えば超音波モータ等のアクチュエータの駆動力を利用してブレ補正の動作を行う。
【００３３】
以下、図２（ａ）〜（ｃ）を参照して、本実施形態に係るカメラ付き携帯電話機の外部形態を説明する。なお、本実施形態に係るカメラ付き携帯電話機の外部形態としては、一般的に普及している折り畳み型カメラ付き携帯電話機が採る外部形態をベースとしている。ここで、図２（ａ）は本実施形態に係るカメラ付き携帯電話機の使用時における正面図、（ｂ）は側面図、（ｃ）は背面図である。なお、図２（ａ）〜（ｃ）においては、本実施形態に係るカメラ付き携帯電話の外部形態における構成部材のうち、改めて説明を行うことが不要と考えられる部材については、説明の焦点を絞る為に一部図示を省略している。
【００３４】
まず、カメラ付き携帯電話機本体１は、大きく分けて上側本体１Ａと下側本体１Ｂとから構成される。ここで、上側本体１Ａ正面（図２（ａ）参照）には、上記第１カメラ２が有する第１撮影光学系２Ａ及び上記表示用ＬＣＤ１８が設けられている。また、上側本体１Ａ背面（図２（ｃ）参照）には、上記第２カメラ４が有する第２撮影光学系４Ａが設けられている。なお、一般的には、上記第２カメラ４はメインカメラとして、また上記第１カメラ２は自分撮り用のカメラとして使用されている。
【００３５】
また、下側本体１Ｂ正面には、シャッターボタン１６Ａを含む上記操作部材１６が設けられている。さらに、下側本体１Ｂ側面には、着脱式のカードメディアのスロット１４ａが設けられており、該スロット１４ａに対して、本実施形態ではカードメディアである上記記憶手段１４を着脱させることができる。
【００３６】
ここで、本実施形態に係るカメラ付き携帯電話機の外部形態における特徴点は、上記第１カメラ２の有する上記第１撮影光学系２Ａにおける撮影光軸２ａと、上記第２カメラ４の有する上記第２撮影光学系４Ａにおける撮影光軸４ａとが、互いに平行となるように外部形態が構成されている点である。このように外部形態を構成することで、２つのカメラのうち一方のカメラを撮影用のカメラ、他方のカメラをブレ補正用のカメラとして用いることが可能となる。
【００３７】
以下、本実施形態に係るカメラ付き携帯電話機におけるＣＰＵ１０の制御による“カメラ選択モード”の動作制御を、図３に示すフローチャートを参照して説明する。ここで、上記“カメラ選択モード”とは、上記第１カメラ２及び上記第２カメラ４のうち、何れのカメラを撮影用のカメラとして選択するかを決定するモードである。なお、この“カメラ選択モード”には、不図示のメインメニューにおける“カメラモード”の中から“カメラ選択モード”を選択することで入る。
【００３８】
まず、上記操作部材１６の操作状態を検出することで、上記第１カメラ２及び上記第２カメラ４のうち撮影用のカメラとしてどちらのカメラが選択されているかを判断する（ステップＳ１）。なお、ここで撮影用のカメラとして選択されてない方のカメラは、ブレ補正用のカメラとして選択されたと判断する。
【００３９】
上記ステップＳ１において、上記第１カメラ２が撮影用のカメラとして選択されている（上記第２カメラ４がブレ補正用のカメラとして選択されている）と判断した場合、上記ＣＰＵ１０は、上記第１イメージセンサインターフェイス回路６から当該ＣＰＵ１０へデータ出力が出来るように上記第１データ切り換え回路８を切り換え、且つ上記第２イメージセンサインターフェイス回路２０から上記ブレ検出回路２４へデータ出力が出来るように上記第２データ切り換え回路２２を上記ブレ検出回路２４側へ切り換える（ステップＳ２）。すなわち、このステップＳ２における接続切り換えにより、上記第１イメージセンサ２Ｂの取得した画像データが上記ＣＰＵ１０へ入力され、上記第２イメージセンサ４Ｂの取得した画像データが上記ブレ検出回路２４へ入力される接続構成となる。
【００４０】
さらに、上記補正動作切り換え回路２８を、上記第１ブレ補正機構２Ｃに接続切り換えする（ステップＳ３）。このステップＳ３における接続切り換えにより、上記ブレ補正制御回路２６と上記第１ブレ補正機構２Ｃとが接続される。すなわち、上記第１イメージセンサ２Ｂがブレ補正を受け得る接続構成となる。上記ステップＳ３における処理を終えた後、“カメラ選択モード”から抜けて不図示のメインメニューの動作に戻る。
【００４１】
一方、上記ステップＳ１において、第２カメラ４が撮影用のカメラとして選択されている（上記第１カメラ２がブレ補正用のカメラとして選択されている）と判断した場合には、上記第２イメージセンサインターフェイス回路２０から上記ＣＰＵ１０へデータ出力が出来るように上記第２データ切り換え回路２２を当該ＣＰＵ１０側へ切り換え、且つ上記第１イメージセンサインターフェイス回路６から上記ブレ検出回路２４へデータ出力が出来るように上記第１データ切り換え回路８を上記ブレ検出回路２４側へ切り換える（ステップＳ４）。すなわち、このステップＳ４における接続切り換えにより、上記第２イメージセンサ４Ｂの取得した画像データが上記ＣＰＵ１０へ入力され、上記第１イメージセンサ２Ｂの取得した画像データが上記ブレ検出回路２４へ入力される接続構成となる。
【００４２】
そして、上記補正動作切り換え回路２８を、上記第２ブレ補正機構４Ｃに接続切り換えする（ステップＳ５）。このステップＳ５における接続切り換えにより、上記ブレ補正制御回路２６と上記第２ブレ補正機構４Ｃとが接続される。すなわち、上記第２イメージセンサ４Ｂがブレ補正を受け得る接続構成となる。上記ステップＳ５における処理を終えた後、“カメラ選択モード”から抜けて不図示のメインメニューの動作に戻る。
【００４３】
以下、本実施形態に係るカメラ付き携帯電話機におけるＣＰＵ１０の制御による“カメラ撮影モード”の動作制御を、図４に示すフローチャートを参照して説明する。ここで、上記“カメラ撮影モード”には、不図示のメインメニューにおける“カメラモード”の中から“カメラ撮影モード”を選択することで入る。なお、“カメラ撮影モード”に入る為の専用の“カメラ撮影ボタン”を当該カメラ付き携帯電話に設け、この“カメラ撮影ボタン”が押し操作されることで“カメラ撮影モード”に入るとしても勿論よい。
【００４４】
ここで、図４に示す“カメラ撮影モード”のフローチャートの処理は、図３に示すフローチャートの処理すなわち“カメラ選択モード”におけるカメラ選択の処理を終えていることが前提として行われる処理である。なお、“カメラ撮影モード”に入った場合、上記第１カメラ２及び上記第２カメラ４を、それぞれ“カメラ選択モード”にて設定された撮影用またはブレ補正用として起動させる。
【００４５】
以下、図１に示す接続構成、すなわち第１カメラ２を撮影用のカメラとして用いる場合を例に説明する。なお、第２カメラ４を撮影用のカメラとして用いる場合の“カメラ撮影モード”における処理の説明については、以下説明する第１カメラ２を撮影用のカメラとして用いる場合の説明、及び上述したシステム構成例から容易に推測可能であると考えられる内容の説明は省略する。また、各構成部材における動作制御については図１を参照して説明した通りであり、ここでは“カメラ撮影モード”における処理の流れを中心に説明する。
【００４６】
まず、“カメラ撮影モード”が選択されたと判断すると、ライブビュー表示を開始させる（ステップＳ１１）。ここでは、図３に示したフローチャートすなわち“カメラ選択モード”にて撮影用のカメラとして選択されている第１カメラ２の有する第１イメージセンサ２Ｂの取得する画像データを、ライブビュー表示に用いる。すなわち、上記第１カメラ２における撮像（キャプチャー）を開始させる。
【００４７】
なお、ライブビュー表示とは、イメージセンサ（撮像素子）により生成される画像データを順次連続的に（人間の目には動画像として映るように）、ＬＣＤ等の表示手段に行う表示のことである。
【００４８】
そして、ブレ補正制御回路２６に、一連のブレ補正動作の開始を指示する（ステップＳ１２）。この開始指示に応じてブレ補正制御回路２６は、上記第２イメージセンサインターフェイス回路２０によって読み出された上記第２イメージセンサ４Ｂの取得した画像データに基づいて上記ブレ検出回路２４で検出されたブレ量（動きベクトル）を読み込み、そのブレ量（動きベクトル）に基づいて、ブレ補正に要する上記第１イメージセンサ２Ｂの変位駆動量等の演算を行う。そして、この演算結果を、上記補正動作切り換え回路２８を介して上記第１ブレ補正機構２Ｃに与えて上記第１イメージセンサ２Ｂを変位駆動させて、ブレ補正を行う。
【００４９】
なお、上記第２カメラ４が撮影用のカメラ（上記第１カメラ２がブレ補正用のカメラ）として選択されている場合には、ブレ補正動作は具体的には以下のようになる。すなわち、上記第１イメージセンサインターフェイス回路６によって読み出された上記第１イメージセンサ２Ｂの取得した画像データに基づいて上記ブレ検出回路２４で検出されたブレ量（動きベクトル）を読み出し、そのブレ量（動きベクトル）に基づいて、ブレ補正に要する上記第２イメージセンサ４Ｂの変位駆動量等の演算を行う。そして、この演算結果を上記補正動作切り換え回路２８を介して上記第２ブレ補正機構４Ｃに与えて上記第２イメージセンサ４Ｂを変位駆動させて、ブレ補正を行う。
【００５０】
上記ステップＳ１２において一連のブレ補正動作の開始を指示した後、上記第１カメラの有する第１イメージセンサ２Ｂの取得した画像データから、静止画撮影における露光条件を算出する（ステップＳ１３）。このステップＳ１２における処理は、通常のカメラにおいて行われている一般的な処理であり、また本発明の本質部分では無い為、特に詳しくは説明しないが、具体的には、刻一刻と変化していく被写体の明るさに対応して露光条件を調節させる為の処理である。
【００５１】
そして、ユーザーによって、レリーズスイッチであるシャッターボタン１６Ａの押し操作が為されるのを待つ（ステップＳ１４）。このステップＳ１４にて、シャッターボタン１６Ａの押し操作が為されたと判断した場合には、ライブビュー表示の停止指示を出す（ステップＳ１５）。
【００５２】
つづいて、上記ステップＳ１３において算出した露出条件にて、上記第１イメージセンサインターフェイス回路６に、上記第１イメージセンサ２Ｂから電気信号（画像信号）を読み出させてデジタル化を施させ画像データとし、その後ホワイトバランス補正や、階調補正、色補正などの周知の画像処理を施す（ステップＳ１６）。そして、上記ステップＳ１２にて開始させた上記ブレ補正制御回路２６での一連のブレ補正動作を停止させる（ステップＳ１７）。
【００５３】
その後、上記第１イメージセンサインターフェイス回路６に、上記画像データを圧縮させ、この圧縮された画像データを上記記憶手段１４に記憶させる（ステップＳ１８）。そして、“カメラ撮影モード”を終了させる。なお、“カメラ撮影モード”を終了させる為の“終了”スイッチを設け、この“終了”スイッチが押し操作されるまでは、上記ステップＳ１８における処理の後、上記ステップＳ１１へ戻って再び本フローチャートの動作制御を繰り返すようにしても勿論よい。
【００５４】
以上説明したように、本実施形態によれば、ブレ量を検出する為の新たなセンサを設けることなく、ブレ量検出及び該ブレ量に基づいたブレ補正を行うことができるブレ補正機能を有する携帯電子装置を提供することができる。
【００５５】
具体的には、現在一般的な構成となっているツインカメラ構成のカメラ付き携帯電話機等に代表される、２つのカメラを具備する携帯電子装置において、一方のカメラを撮影用のカメラ、他方のカメラをブレ補正用のカメラとして上述したように利用する。すなわち、ブレ補正の為にジャイロセンサ等の部材を新たに設けることなく、図１に示すようなシンプルなシステム構成にてブレ補正が可能となる。このように、ブレ補正を行う為のジャイロセンサ等の部材を新たに設ける必要がないことは、携帯電話機等の小型な携帯電子装置にとって、装置構成上のメリットすなわち装置の小型化を図る上でのメリットが非常に大きい。また、コスト面におけるメリットも大きい。
【００５６】
ところで、本実施形態によれば、さらに以下に記すような副次的な効果も生じる。この効果は、カメラ付き携帯電話機が具備するカメラによる画像撮影において、撮影者の構え方が、当該カメラ付き携帯電話機を保持している手を被写体側へ突き出して肘関節を伸ばしきった状態に近い構えにて撮影することが多いことに起因する問題点を解決する効果である。以下、具体的に説明する。
【００５７】
上述した撮影者の構え方に起因して、カメラ付き携帯電話機の具備するカメラによる画像撮影におけるブレは、通常のデジタルカメラによる画像撮影におけるブレのうち大きな割合を占める回転ブレだけでなく、並進ブレもある程度大きな割合で含む。しかしながら、ジャイロセンサは角速度を検出するセンサである為、原理的に回転ブレの検出しか行えず、並進ブレの検出を行うことが出来ない。
【００５８】
したがって、カメラ付き携帯電話機では、ブレ補正の為のジャイロセンサを搭載しても、実際には根本的なブレ補正は実現しておらず、そのブレ補正効果にはあまり期待できない。
【００５９】
一方、本実施形態に係る携帯電子装置では、当該携帯電子装置が具備している２つのカメラを上述したように有効に活用することで、回転ブレのみならず並進ブレも多く含むブレのブレ量の検出が、ブレ量検出を行う為のセンサを新たに設けることなく可能となる。
【００６０】
以上、一実施形態に基づいて本発明を説明したが、本発明は上述した実施形態に限定されるものではなく、本発明の要旨の範囲内で種々の変形及び応用が可能なことは勿論である。例えば、上記一実施形態においてはブレ補正の為に、上記第１イメージセンサ２Ｂまたは上記第２イメージセンサ４Ｂを変位駆動させていたが、ブレ補正の為に変位駆動させる部材は上記第１イメージセンサ２Ｂまたは上記第２イメージセンサ４Ｂに限定されることはない。以下、２つの例を挙げて説明する。
【００６１】
まず、第１の変形例を、図５に示す携帯電子装置のシステム構成図を参照して説明する。この第１の変形例では、第１カメラ２を撮影用のカメラとして用いる場合には、第１ブレ補正機構２Ｃに第１撮影光学系２Ａを変位駆動させることでブレ補正を行い、第２カメラ４を撮影用のカメラとして用いる場合には、第２ブレ補正機構４Ｃに第２撮影光学系４Ａを変位駆動させることでブレ補正を行う構成とする。つまり、上記一実施形態と本第１の変形例との相違点は、同図に示すように、上記第１カメラ２内の構成である。すなわち、本第１の変形例においては、上記第１ブレ補正機構２Ｃは上記第１撮影光学系２Ａを変位駆動するような構成とし、上記第２ブレ補正機構４Ｃは上記第２撮影光学系４Ａを変位駆動するような構成としたものである。
【００６２】
以上説明した第１の変形例によれば、上記一実施形態と同様の効果を奏する上に、ブレ補正動作において実際に変位駆動される構成部材（第１撮影光学系２Ａまたは第２撮影光学系４Ａ）の電気的接続が不要である為、ブレ補正動作において実際に変位駆動される構成部材が電気的接続を必要とする場合のようにブレ補正動作を妨げないような結線をしなくてはならない場合に比べ、ある程度結線を単純化することが可能な携帯電子装置を提供することができる。
【００６３】
以下、第２の変形例として図６に示す携帯電子装置のシステム構成図を参照して説明する。第２カメラ４を撮影用のカメラとして用いる接続構成である。
【００６４】
本第２の変形例では、上記第１撮影光学系２Ａと上記第１イメージセンサ２Ｂとを含む第１ユニット２Ｄを設け、また上記第２撮影光学系４Ａと上記第２イメージセンサ４Ｂとを含む第２ユニット４Ｄを設けている。そして、上記第１ブレ補正機構２Ｃが上記第１ユニット２Ｄを変位駆動することで、または上記第２ブレ補正機構４Ｃが上記第２ユニット４Ｄを変位駆動することでブレ補正を行う構成とする。つまり、上記一実施形態と本第２の変形例との相違点は、上記第１カメラ２内及び上記第２カメラ４内の構成である。ここで、上記第１ユニット２Ｄが上記第１ブレ補正機構２Ｃによる変位駆動制御を受けられるよう、上記第１ユニット２Ｄに上記第１ブレ補正機構２Ｃを取り付けた構成、及び上記第２ユニット４Ｄが上記第２ブレ補正機構４Ｃによる変位駆動制御を受けられるよう、上記第２ユニット４Ｄに上記第２ブレ補正機構４Ｃを取り付けた構成とする。
【００６５】
以上説明した第２の変形例によれば、上記一実施形態と同様の効果を奏する上に、上記第１ユニット２Ｄまたは上記第２ユニット４Ｄを変位駆動させてのブレ補正を行うという特性上、上記第１撮影光学系２Ａ及び上記第１イメージセンサ２Ｂのうち何れか一方のみ、または上記第２撮影光学系４Ａ及び上記第２イメージセンサ４Ｂのうち何れか一方のみを変位駆動させる場合に比べて、ブレ補正の動作に伴う画質の劣化を小さくすることが可能な携帯電子装置を提供することができる。
【００６６】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６７】
【図１】本発明の一実施形態に係るカメラ付き携帯電話機のシステム構成を示す図。
【図２】本発明の一実施形態に係るカメラ付き携帯電話機の外部形態を示す図であり、（ａ）は正面図、（ｂ）は側面図、（ｃ）は背面図。
【図３】本発明の一実施形態に係るカメラ付き携帯電話機におけるＣＰＵの制御による“カメラ選択モード”の動作制御を示すフローチャート。
【図４】本発明の一実施形態に係るカメラ付き携帯電話機におけるＣＰＵの制御による“カメラ撮影モード”の動作制御を示すフローチャート。
【図５】本発明の一実施形態に係るカメラ付き携帯電話機の第１の変形例におけるシステム構成図。
【図６】本発明の一実施形態に係るカメラ付き携帯電話機の第２の変形例におけるシステム構成図。
【符号の説明】
【００６８】
１…カメラ付き携帯電話機本体、  ２…第１カメラ、  ２Ａ…第１撮影光学系、  ２Ｂ…第１イメージセンサ、  ２Ｃ…第１ブレ補正機構、  ２Ｄ…第１ユニット、  ２ａ，４ａ…撮影光軸、  ４…第２カメラ、  ４Ａ…第２撮影光学系、  ４Ｂ…第２イメージセンサ、  ４Ｃ…第２ブレ補正機構、  ４Ｄ…第２ユニット、  ６…第１イメージセンサインターフェイス回路、  ８…第１データ切り換え回路、  １０…ＣＰＵ、  １６…操作部材、  １６Ａ…シャッターボタン、  １８…表示用ＬＣＤ、  ２０…第２イメージセンサインターフェイス回路、  ２２…第２データ切り換え回路、  ２４…ブレ検出回路、  ２６…ブレ補正制御回路、  ２８…補正動作切り換え回路。
【図１】
2007049478.tif 000003
【図２】
2007049478.tif 000004
【図３】
2007049478.tif 000005
【図４】
2007049478.tif 000006
【図５】
2007049478.tif 000007
【図６】
2007049478.tif 000008